(57)【要約】  【課題】   電気コネクタ組立体、それに使用されるリセプタクルコネクタおよびプラグコネクタにおいて、比較的低い嵌合保持力を、極めて多数回の挿抜を通じて維持することができるようにするとともに、コネクタ同士の挿抜による傷が生じにくく、外観上の見栄えを悪化させることがないようにする。  【解決手段】  電気コネクタ組立体Ｃは、互いに組み合うリセプタクルコネクタ１と、プラグコネクタ１００とからなる。リセプタクルコネクタ１およびプラグコネクタ１００は、嵌合時に互いに低嵌合保持力でロックされるロック部５２、１４０を夫々有する。リセプタクルコネクタ１は、さらに、プラグコネクタ１００と摩擦接触してコネクタ同士の抜止となる圧接突起を有する。【選択図】          図１１
2005011791.tif 000002
【特許請求の範囲】
【請求項１】
少なくとも１つの一方のコンタクトを保持する一方の絶縁ハウジングを備えた一方のコネクタと、該一方のコネクタとの嵌合時に、前記一方のコンタクトと接触する他方のコンタクトを保持する他方の絶縁ハウジングを備えた他方のコネクタとからなる電気コネクタ組立体において、
前記一方のコネクタおよび前記他方のコネクタが、嵌合時に互いに低嵌合保持力でロックされるロック部を夫々有し、
前記一方のコネクタに、前記他方のコネクタと摩擦接触する突起が設けられていることを特徴とする電気コネクタ組立体。
【請求項２】
前記一方の絶縁ハウジングの外側には、前記他方の絶縁ハウジングを収容する金属性のシェルが配置され、前記ロック部が、前記シェルに形成されたばね片および前記他方の絶縁ハウジングに設けられた金属製のロック片からなることを特徴とする請求項１記載の電気コネクタ組立体。
【請求項３】
前記突起が、前記両コネクタの嵌合時に前記シェルから前記他方の絶縁ハウジングの表面に向けて突出していることを特徴とする請求項１または２記載の電気コネクタ組立体。
【請求項４】
前記突起の長軸が前記リセプタクルコネクタおよび前記プラグコネクタ同士の挿抜方向と直交していることを特徴とする請求項１または３記載の電気コネクタ組立体。
【請求項５】
前記他方のコネクタ表面の、前記一方のコネクタの前記突起に対応する位置に、コネクタ同士の嵌合時に前記突起が係止する段部が形成されていることを特徴とする請求項１から４いずれか１項記載の電気コネクタ組立体。
【請求項６】
少なくとも１つのコンタクトを保持する絶縁ハウジングを備え、相手方のプラグコネクタと互いに嵌合するリセプタクルコネクタにおいて、
前記絶縁ハウジングの外側には、金属性のシェルが配置され、該シェルには、嵌合時に相手方のプラグコネクタのロック部と低嵌合保持力で互いにロックされるばね片からなるロック部が形成されているとともに、前記シェルの内側に挿入される相手方のプラグコネクタの絶縁ハウジングの表面に摺接する突起が形成されていることを特徴とするリセプタクルコネクタ。
【請求項７】
少なくとも１つのコンタクトを保持する絶縁ハウジングを備え、相手方のリセプタクルコネクタと互いに嵌合するプラグコネクタにおいて、
前記絶縁ハウジングの外側には、嵌合時に前記リセプタクルコネクタのロック部と低嵌合保持力で互いにロックされる金属性のロック片からなるロック部が設けられているとともに、相手方のリセプタクルコネクタに挿入されると該リセプタクルコネクタの突起が絶縁ハウジングに摺接するよう構成されていることを特徴とするプラグコネクタ。
【請求項８】
前記リセプタクルコネクタの前記突起に対応する前記絶縁ハウジングの表面に、前記突起が係止する段部が形成されていることを特徴とする請求項７記載のプラグコネクタ。
【発明の詳細な説明】
【技術分野】
【０００１】
本発明は、携帯電話、デジタルカメラ所謂デジカメ等の電気／電子機器に使用される電気コネクタ組立体、これに用いられるリセプタクルコネクタおよびプラグコネクタに関するものである。
【背景技術】
【０００２】
コネクタ同士をロックするロック機構を有する電気コネクタ組立体は一般的であり、例えば、外側に金属製のシールド部材を有するソケット（リセプタクルコネクタ）と、このソケットに嵌合するプラグ（プラグコネクタ）を有する電気コネクタ組立体が知られている（特許文献１、図８、図９）。ソケットのシールド部材には、フックを有するロック突起が形成され、このフックが、嵌合時にプラグに形成された孔に係合するよう構成されている。係合を解除する場合は、ロック突起を押圧することで係合が解除されるようになっている。
【特許文献１】特開平１０−８３８６７号公報（図８、図９）
【発明の開示】
【発明が解決しようとする課題】
【０００３】
上記特許文献１に開示された発明においては、フックと孔とが確実に係合してソケットとプラグとの嵌合状態が維持される。しかし、この係合状態が維持されたまま、プラグをソケットから引き抜く方向に過大な力が加わった場合は、フックを含むロック突起および／または孔が破損することとなる。
【０００４】
このように過大な外力が付加されることは、日常的に使用する電気／電子機器において偶発的に生じ得る。例えば、ミニディスクプレーヤーにヘッドホンを接続して音楽を聴くときに、ヘッドホンのコードを引っ掛けたりすることはあり得ることである。また、携帯電話で音楽をダウンロードしてイヤホンで聴くとか、デジカメに充電したり、他の電子機器にコードを接続したりする場合でも、偶発的にコードを引っ掛けたりすることは起こり得る。その結果、コードに外力が加わって過大な引抜力がコネクタに加わり、コネクタ同士のロック部を破損、または電子機器自体が落下して破損する虞がある。そこで、このようなコネクタ、所謂マルチメディアインターフェースコネクタは、過大な外力が付加されることを想定して、所定の設計基準で設計することが要求されている。
【０００５】
具体的には、嵌合したコネクタ同士は、所定範囲の（例えば、５Ｎ〜１０Ｎ）係合保持力（嵌合保持力）は有するものの、ある荷重以上の外力即ち引抜力が付加されると、コネクタは破損することなく抜去されることが求められている。この機能は、コネクタの製品寿命の間失われることがないように、１万回の連続挿抜試験に耐えるように設計されることが要求されている。
【０００６】
本発明は、以上の事情に鑑みてなされたものであり、外力が生じた場合に、コネクタ同士が破損することなく係合（ロック）が解除されるように、比較的低い嵌合保持力を、極めて多数回の挿抜を通じて維持することができる電気コネクタ組立体、リセプタクルコネクタおよびプラグコネクタを提供することを目的とする。
【０００７】
本発明の他の目的は、他方のコネクタの表面に、コネクタ同士の挿抜による傷が生じにくい電気コネクタ組立体、リセプタクルコネクタおよびプラグコネクタを提供することにある。
【課題を解決するための手段】
【０００８】
本発明の電気コネクタ組立体は、少なくとも１つの一方のコンタクトを保持する一方の絶縁ハウジングを備えた一方のコネクタと、この一方のコネクタとの嵌合時に、一方のコンタクトと接触する他方のコンタクトを保持する他方の絶縁ハウジングを備えた他方のコネクタとからなる電気コネクタ組立体において、一方のコネクタおよび他方のコネクタが、嵌合時に互いに低嵌合保持力でロックされるロック部を夫々有し、一方のコネクタに、他方のコネクタと摩擦接触する突起が設けられていることを特徴とするものである。
【０００９】
また、一方の絶縁ハウジングの外側には、他方の絶縁ハウジングを収容する金属性のシェルが配置され、ロック部が、シェルに形成されたばね片および他方の絶縁ハウジングに設けられた金属製のロック片からなるよう構成することができる。この金属製のロック片は、他方の絶縁ハウジングの両側部に配置され、ロック片の先端は、絶縁ハウジングの前端部により保護されていることが好ましい。
【００１０】
また、突起は、両コネクタの嵌合時にシェルから他方の絶縁ハウジングの表面に向けて突出したものとすることができる。
【００１１】
さらに、突起の長軸はリセプタクルコネクタおよびプラグコネクタ同士の挿抜方向と直交していることが好ましい。また、突起は、シェルの上下に設けられていることが好ましい。
【００１２】
また、他方のコネクタ表面の、一方のコネクタの突起に対応する位置に、コネクタ同士の嵌合時に突起が係止する段部が形成されていてもよい。
【００１３】
本発明のリセプタクルコネクタは、少なくとも１つのコンタクトを保持する絶縁ハウジングを備え、相手方のプラグコネクタと互いに嵌合するリセプタクルコネクタにおいて、絶縁ハウジングの外側には、金属性のシェルが配置され、シェルには、嵌合時に相手方のプラグコネクタのロック部と低嵌合保持力で互いにロックされるばね片からなるロック部が形成されているとともに、シェルの内側に挿入される相手方のプラグコネクタの絶縁ハウジングの表面に摺接する突起が形成されていることを特徴とするものである。
【００１４】
また、本発明のプラグコネクタは、少なくとも１つのコンタクトを保持する絶縁ハウジングを備え、相手方のリセプタクルコネクタと互いに嵌合するプラグコネクタにおいて、絶縁ハウジングの外側には、嵌合時に相手方のコネクタのロック部と低嵌合保持力で互いにロックされる金属性のロック片からなるロック部が設けられているとともに、相手方のリセプタクルコネクタに挿入されるとリセプタクルコネクタの突起が絶縁ハウジングに摺接するよう構成されていることを特徴とするものである。
【００１５】
また、リセプタクルコネクタの突起に対応する、プラグコネクタの絶縁ハウジングの表面に、突起が係止する段部が形成されていてもよい。
【発明の効果】
【００１６】
本発明の電気コネクタ組立体は、一方のコネクタおよび他方のコネクタが、嵌合時に互いに低嵌合保持力でロックされるロック部を夫々有し、また、一方のコネクタに、他方のコネクタと摩擦接触する突起が設けられているので、次の効果を奏する。
【００１７】
即ち、ロック部が摩耗したとしても、突起との摩擦による嵌合保持力によって、コネクタ同士の比較的低い嵌合保持力を、極めて多数回の挿抜を通じて維持することができる。
【００１８】
また、一方の絶縁ハウジングの外側には、他方の絶縁ハウジングを収容する金属性のシェルが配置され、ロック部が、シェルに形成されたばね片および他方の絶縁ハウジングに設けられた金属製のロック片からなるよう構成されている場合は、ロック部を介した導電経路を形成して、コネクタ組立体に一体的なシールド（電磁遮蔽）を形成することができる。
【００１９】
また、突起が、両コネクタの嵌合時にシェルから他方の絶縁ハウジングの表面に向けて突出している場合は、突起の形成を容易に行うことができる。
【００２０】
さらに、突起の長軸が、リセプタクルコネクタおよびプラグコネクタ同士の挿抜方向と直交している場合は、他方のコネクタの表面に、コネクタ同士の挿抜による傷が生じにくい。
【００２１】
また、他方のコネクタ表面の、一方のコネクタの突起に対応する位置に、コネクタ同士の嵌合時に突起が係止する段部が形成されている場合は、コネクタ同士が完全に嵌合したときに突起と段部の係止によりクリック感（節度感）が生じるので、ロック部でのクリック感に加えて、クリック感を増大させることができる。完全嵌合したことを手（指）の感触で確実に感知することができる。さらに、段部と突起との係止により、嵌合保持力を増大することができる。
【００２２】
また、本発明のリセプタクルコネクタが、絶縁ハウジングの外側に、金属性のシェルが配置され、シェルには、嵌合時に相手方のプラグコネクタのロック部と低嵌合保持力で互いにロックされるばね片からなるロック部が形成されているとともに、シェルの内側に挿入される相手方のプラグコネクタの絶縁ハウジングの表面に摺接する突起が形成されている場合は、相手方のプラグコネクタとの比較的低い嵌合保持力を、極めて多数回の挿抜を通じて維持することができるリセプタクルコネクタとすることができる。
【００２３】
また、本発明のプラグコネクタが、絶縁ハウジングの外側に、嵌合時に相手方のコネクタのロック部と低嵌合保持力で互いにロックされる金属性のロック片からなるロック部が設けられているとともに、相手方のリセプタクルコネクタに挿入されるとリセプタクルコネクタの突起が絶縁ハウジングに摺接するよう構成されている場合は、相手方のプラグコネクタとの比較的低い嵌合保持力を、極めて多数回の挿抜を通じて維持することができるとともに、ロック部を介した導電経路を形成することができるリセプタクルコネクタが得られる。
【発明を実施するための最良の形態】
【００２４】
以下、本発明の電気コネクタ組立体（以下、単に組立体という）Ｃ（図１１）、リセプタクルコネクタおよびプラグコネクタの好ましい実施の形態について添付図面を参照して詳細に説明する。図１は、本発明の組立体Ｃの一方のコネクタとなるリセプタクルコネクタ１を前部２側から見た斜視図、図２は後部４側から見た斜視図を示す。また、図３はリセプタクルコネクタ１の正面図、図４は側面図、図５は平面図、図６は底面図を夫々示す。以下、図１から図６を参照して説明する。
【００２５】
リセプタクルコネクタ１は、絶縁ハウジング（以下、単にハウジングという）６、このハウジング６に保持されたコンタクト（一方のコンタクト）８およびハウジング６の周囲を覆うように配置された遮蔽部材即ちシェル１０から構成されている。
【００２６】
ハウジング６は、図３に最もよく示すように正面形状が略矩形状の本体１４を有し、この本体１４の下側の両隅部にテーパ１２が形成されている。そして、この本体１４の前端からコンタクト支持板１６が突出している。このコンタクト支持板１６の上下両面には、所定の間隔で複数のコンタクト受容溝１８が配設されている。コンタクト８は、これらのコンタクト受容溝１８に圧入されて、コンタクト受容溝１８に配置される。コンタクト８は、本体１４から後部に延出して基板２６（図４）に接続されるタイン２２および後述する他方のコンタクト１０４（図７）と接触する接触部２４を有する（図１１）。
【００２７】
次に、シェル１０について説明する。シェル１０は、１枚の導電性金属板から打抜かれて、本体１４の外周に沿った形状に折曲げ成形される。そして、シェル１０の端縁同士が継ぎ目６０で当接して、ハウジング６の全体が収容される。この継ぎ目６０が「あり」と「あり溝」の関係に形成されているので、端縁同士が互いに分離しにくくなっている。シェル１０の上壁２８の後部４の両側には、上壁２８に固定端を有する片持梁状の舌片３０が、打抜きにより挿抜方向６２（図１）と直交する方向に形成されて内方に折り曲げられている。ハウジング６の本体１４には、この舌片３０と対応する位置に凹部３２が形成されており、舌片３０が凹部３２内に係合している。舌片３０と類似の舌片３４（図６）は、シェル１０の底壁３６にも形成されており、同様にハウジング６の本体１４の下部に形成された凹部３８と係合している。これらの舌片３０、３４と凹部３２、３８との係合により、シェル１０がハウジング６に固定されている。
【００２８】
シェル１０の両側壁４０の前後には、切起こしにより基板２６への取付脚４２、４４が下向きに垂下されている。また、シェル１０の前部２近傍には、上壁２８から側壁４０にかけて、Ｌ字状のばね片４６が打抜きにより形成されている。このばね片４６は、固定端を上壁２８に有し、シェル１０の左右の側壁４０に互いに対称的に形成されている。そして、上壁２８から側壁４０にかけて延出するアーム４８と、このアーム４８の先端から後方に直角に延出する係止片５０を有する。この係止片５０には、内向きに弧状に突出した係止突起（ロック部）５２が形成されている。この係止突起５２の後部側が係止面５２ａ（図１１）となる。ここで、注目すべき点は、係止突起５２が、弧状であり、挿抜方向６２に対して直交するような係止面を有さないということである。このため、後述する他方のプラグコネクタ１００（図７）と係止しても、比較的低い嵌合保持力となる。この係止状態の詳細については後述する。
【００２９】
次に、本発明の特徴の１つである、シェル１０の上壁２８および底壁３６に形成された突起即ち圧接突起（ビード）５４、５６について説明する。これらの圧接突起５４、５６は、夫々上壁２８、底壁３６から内方に打ち出して形成されたものであり、僅かにこれらの壁面から内方に突出している。この突出量は、後述する他方のプラグコネクタ１００（図７）と嵌合する際に、他方のプラグコネクタ１００の絶縁ハウジング１０２と摺接する寸法となっている。底壁３６の圧接突起５６、５６は、各々略楕円形状を有し、継目６０を挟んで両側に配置されている。圧接突起５４、５６は、コネクタ同士の挿抜方向６２と直交する長軸５８、５９を夫々有する。これらの圧接突起５４と５６、５６は、ハウジング１０２に上下方向から付加される力のバランスがとれるように、互いに略対向する位置に形成されている。
【００３０】
前述の長軸５８、５９は挿抜方向６２と直交するように配置されているが、例えば、挿抜方向６２と平行であった場合、相手方のプラグコネクタ１００の絶縁ハウジング１０２の上面１１２ａおよび下面１１２ｂに傷が付きやすくなる。特に、圧接突起５４、５６の接触部５４ａ、５６ａ（図３）が線状であり、且つ挿抜方向６２と平行である場合は、ハウジング１０２の上面１１２ａおよび下面１１２ｂを削って線状の傷を付けてしまい、嵌合保持力を低下させるとともに、外観上の見栄えを悪化させる虞が大きい。さらに、削りカスが、コンタクト８、１０４（図７）に付着してコンタクト同士の接触に悪影響を与える虞もある。
【００３１】
次に、他方のコネクタとなるプラグコネクタ１００について、図７から図１０を参照して説明する。図７は、プラグコネクタ１００を後部側から見た斜視図、図８は正面図、図９は側面図、図１０は図８のＸ−Ｘ線に沿う断面図をそれぞれ示す。図１１は、プラグコネクタ１００とリセプタクルコネクタ１とが、完全に嵌合したときの状態を示す組立体Ｃの部分断面図である。プラグコネクタ１００は、プラスチック製の絶縁ハウジング（以下、単にハウジングという）１０２と、このハウジング１０２に保持されるコンタクト（他方のコンタクト）１０４と、ハウジング１０２の両側に取り付けられるロック片１０６から構成されている。ハウジング１０２は、矩形ブロック状の本体１０８と、段部１１０を経て前方に突設された嵌合部１１２を有する。ハウジング１０２には、プラグコネクタ１００がリセプタクルコネクタ１と嵌合したときにリセプタクルコネクタ１の孔２０に対応する位置に、コンタクト挿通孔１１４が形成されている。コンタクト挿通孔１１４は、プラグコネクタ１００のハウジング１０２を貫通して、挿抜方向６２に平行に上下２列に形成されている。コンタクト１０４は、このコンタクト挿通孔１１４に後部から圧入される。図１１に示されるように、コンタクト１０４は、図示しない電線または基板に接続されるタイン１１６、両側縁にバーブ１１８を有する圧入部１２０、コンタクト８と接触する接触部１２２を有する。コンタクト１０４をハウジング１０２に圧入すると、バーブ１１８がハウジング１０２と干渉係合してハウジング１０２に係止される。
【００３２】
そして、ハウジング１０２の本体１０８には、このコンタクト列の左右両側にロック片１０６を挿通する貫通孔１２４が形成されている。嵌合部１１２には、この貫通孔１２４に連通するロック片受容溝１２６が、嵌合部１１２の両側に挿抜方向６２に平行に形成されている。このロック片受容溝１２６は、嵌合面１２８近傍まで延びている。換言すると、ロック片受容溝１２６に受容されたロック片１０６の先端１０６ａは、嵌合面１２８には露出していない。ロック片受容溝１２６は、ロック片１０６の側縁１０６ｂを受容する幅を有している。また、以上の如く、ロック片１０６は、その先端１０６ａや側縁１０６ｂが外部に露出しないようにハウジング１０２に保持されるので、外部から指などがロック片１０６のエッジに接触することがなく安全性が確保される。即ち安全性を確保しつつ電気的接続の要求を満たすことができる。
【００３３】
ロック片１０６は、ハウジング１０２の後面１３０に当接する押圧部１３２を後部に有するとともに、後部近傍の側縁にハウジング１０２と係止するバーブ１３４（図１０）を有する。ロック片１０６の先端部の両側縁１０６ｂには、切欠１３８が形成されている。そして、この切欠１３８に、係合凸部（ロック部）１４０が外方に突出するように形成されている。係合凸部１４０は、前方に向く斜面１４０ａと、後方に向く斜面１４０ｂとから構成されている。プラグコネクタ１００とリセプタクルコネクタ１とが嵌合すると、この係合凸部１４０と、リセプタクルコネクタ１の係止突起５２とが互いに係合して係止される。この係止状態について、図１１を参照して説明する。
【００３４】
図１１から判るように、コンタクト８とコンタクト１０４は互いに接触してそれらの間に摩擦力を発生している。また、ばね片４６とロック片１０６とが、前述の係止突起５２および係合凸部１４０、即ち互いのロック部で相互に係合しているのが明瞭に示されている。完全に嵌合する直前では、ばね片４６は、弾性を有しているので、一旦外側即ち図１１では下側に撓んで、係止突起５２が係合凸部１４０を乗り越えると、図１１に示すように弾性的に復帰して係合する。これにより、完全嵌合時にクリック感を得ることができる。この完全な係合状態では、ロック片１０６の斜面１４０ｂとばね片４６の傾斜した係止面５２ａとが互いに係合している。そして、ばね片４６とロック片１０６は、金属製であるので、互いに電気的に導通し電気経路を構成することができる。本発明の場合は、シェル１０が基板２６に接地されて、一体的なシールド（電磁遮蔽）が形成される。
【００３５】
また、前述のリセプタクルコネクタ１の圧接突起５４、５６は、リセプタクルコネクタ１とプラグコネクタ１００とが嵌合すると、プラグコネクタ１００の嵌合部１１２の平坦な上面１１２ａ、下面１１２ｂに夫々摺接する。そして、完全に嵌合した後も、この接触状態は維持される。そして、この接触による摩擦力もコネクタ同士の嵌合保持力として作用している。
【００３６】
この状態で、プラグコネクタ１００に矢印１４２で示すように抜去する方向に過大な外力が加わると、斜面１４０ｂが矢印１４２の方に移動しようとする力が働く。そして、その力は、斜面１４０ｂが係止面５２ａを外側に撓ませるように働く。そして、この過大な外力が、係止突起５２と係合凸部１４０との係合による嵌合保持力に打ち勝つと、ばね片４６を外側に撓めて係合が解除され、プラグコネクタ１００が抜去される。
【００３７】
このとき、前述の圧接突起５４、５６は、再びプラグコネクタ１００のハウジング１０２と摺接して抜去方向の過大な力に対して抗力を発生するが、抜去を阻止するほどの抗力は発生しないようになっている。前述のばね片４６とロック片１０６は、多数回挿抜すると、ある程度金属摩耗するが圧接突起５４、５６、５６は、単に摺接するので摩耗する虞が少ない。従って、ばね片４６とロック片１０６が摩耗しても、所定以上の嵌合保持力を維持することができる。さらに、圧接突起５４、５６が、挿抜方向６２と直交する長軸５８、５９を有しているので、プラグコネクタ１００のハウジング１０２の表面に傷を付ける虞が少ない。換言すると、圧接突起５４によって、ハウジング１０２の上面１１２ａおよび下面１１２ｂに線状の傷が付くことが防止される。また、前述のコンタクト８、１０４同士の摩擦力も、抜去の際の抗力となる。しかし、コンタクト８、１０４の極数が少ない場合は、前述の圧接突起５４、５６、５６の摩擦力が所定の嵌合保持力を維持するのに有効となる。
【００３８】
以上の如く、プラグコネクタ１００に加わる過大な外力に対しては、リセプタクルコネクタ１および／またはプラグコネクタ１００を破損するほどの嵌合保持力を付与していないので、プラグコネクタ１００、リセプタクルコネクタ１のロック部が互いに破損することが防止される。また、接続機器が、携帯電話等の軽量な電子機器である場合は、嵌合保持力が大きすぎると、外力に引っ張られて、例えば、電子機器がテーブルの上から落下して電子機器自体を破損してしまう虞があるが、このような問題が生じることもない。
【００３９】
以上、本発明の好ましい実施の形態について詳細に説明したが、前述の実施の形態に限定されるものではなく、当業者にとって種々の変形、変更が可能であることはいうまでもない。
【００４０】
例えば、図１２に、リセプタクルコネクタ８０の変形例の斜視図を示す。図１２に示すように、基板２６へのリセプタクルコネクタ１の取付脚４２の形状を変えてもよい。リセプタクルコネクタ８０とリセプタクルコネクタ１との相違点は、シェル８４の後部側の取付脚８２がディップタイプからＳＭＴ（表面実装）タイプに変更になっている点である。この理由は、コネクタ同士の挿抜の際、こじられる可能性が大きい前部側に比較して、後部側はそのような外力が加わる虞が少ないためである。
【００４１】
また、圧接突起５４は、挿抜方向６２と直交する方向に線状の接触部５４ａを有することが好ましいが、適切な嵌合保持力を得るために、挿抜方向６２に沿った任意の長さを有してもよい。
【００４２】
また、前述のばね片４６の係止突起５２は、弧状であるが、比較的低い嵌合保持力を提供する傾斜面を有する形状としてもよい。
【００４３】
次に、上記の組立体Ｃより極数の多い他の実施形態の組立体Ｃ’について、図１３から図１５を参照して説明する。図１３は、組立体Ｃ’（図１５）を構成するプラグコネクタ３００（他方のコネクタ）の斜視図である。図１４は、図１３のプラグコネクタ３００と組み合うリセプタクルコネクタ２００（一方のコネクタ）を示し、図１４（a）は、前方からみた斜視図、図１４（ｂ）は、底面図である。また、図１５は、リセプタクルコネクタ２００とプラグコネクタ３００が完全に嵌合した状態を示す組立体Ｃ’の縦断面図である。
【００４４】
図１３に示すように、プラグコネクタ３００が前述のプラグコネクタ１００と異なる点は、コンタクト３０４（他方のコンタクト）を１４個有する１４極であることと、ハウジング３０２の上面３１２ａおよび下面３１２ｂ（図１５）に、後述するリセプタクルコネクタ２００の圧接突起２５４、２５６とそれぞれ係止する段部３５０ａ、３５０ｂ（図１５）が形成されていることである。なお、段部３５０ａ、３５０ｂを総括して段部３５０という。上面３１２ａ側の段部３５０ａは、リセプタクルコネクタ２００の圧接突起２５４に対応する位置に形成され、圧接突起２５４の幅を受容する幅の平坦面３５１ａとしてハウジング３０２の後方に向けて延びている。下面３１２ｂ側の段部３５０ｂも、リセプタクルコネクタ２００の圧接突起２５６、２５６に対応する位置に形成され、２つの圧接突起２５６を受容する幅の平坦面３５１ｂ（図１５）として、プラグコネクタ３００の下面３１２ｂの後方に向けて延びている。図１３では、段部を明瞭に示すために、誇張して深く示しているが、実際の段部３５０の深さは、約０．１ｍｍである。
【００４５】
この他の実施形態のプラグコネクタ３００も、前述のプラグコネクタ１００と同様に、ロック片３０６に係合凸部（ロック部）３４０を有するが、プラグコネクタ１００と同様の構造なので詳細な説明は省略する。
【００４６】
他方、プラグコネクタ３００と組み合うリセプタクルコネクタ２００は、図１４に示すように、極数が１４極になっているだけで基本的な構造は、図１に示したリセプタクルコネクタ１と同じである。すなわち上壁２２８に、前述の圧接突起５４と同様な形状の圧接突起２５４を有し、底壁２３６に前述の２つの圧接突起５６と同様な形状の２つの圧接突起２５６を有する。圧接突起２５６も前述のプラグコネクタ３００の下面３１２ｂ側の段部３５０ｂに対応する位置に形成されている。このリセプタクルコネクタ２００も前述のリセプタクルコネクタ１と同様に、ハウジング２０６、コンタクト２０８（一方のコンタクト）、シェル２１０、ばね片２４６に形成された係止突起（ロック部）２５２を有するが、これらはリセプタクルコネクタ１と同様の構造なので詳細な説明は省略する。
【００４７】
プラグコネクタ３００とリセプタクルコネクタ２００が組み合うと、図１５に示すように、これらの圧接突起２５４、２５６、２５６は、段部３５０と互いに係合する。この係合により、コネクタ同士の嵌合保持力を増強している。また、ロック部２５２、３４０同士のクリック感に加えて、さらに完全嵌合時のクリック感を増大させている。これにより確実に完全嵌合を感知することができる。  
【図面の簡単な説明】
【００４８】
【図１】本発明の電気コネクタ組立体の一方のコネクタとなるリセプタクルコネクタを前部側から見た斜視図
【図２】図１の本発明のリセプタクルコネクタを後部側から見た斜視図
【図３】図１のリセプタクルコネクタの正面図
【図４】図１のリセプタクルコネクタの側面図
【図５】図１のリセプタクルコネクタの平面図
【図６】図１のリセプタクルコネクタの底面図
【図７】本発明のプラグコネクタを後部側から見た斜視図
【図８】図７のプラグコネクタの正面図
【図９】図７のプラグコネクタの側面図
【図１０】図８に示すプラグコネクタのＸ−Ｘ線に沿う断面図
【図１１】プラグコネクタとリセプタクルコネクタとが、完全に嵌合したときの状態を示す組立体の部分断面図
【図１２】リセプタクルコネクタの変形例を示す斜視図
【図１３】本発明の他の実施形態の電気コネクタ組立体を構成するプラグコネクタの斜視図
【図１４】図１３のプラグコネクタと組み合うリセプタクルコネクタを示し、（a）は、前方からみた斜視図、（ｂ）は、底面図
【図１５】リセプタクルコネクタとプラグコネクタが完全に嵌合した状態を示す他の実施形態の電気コネクタ組立体の縦断面図
【符号の説明】
【００４９】
１、８０、２００    リセプタクルコネクタ（一方のコネクタ）
６、１０２、２０６、３０２    絶縁ハウジング
８、２０８    コンタクト（一方のコンタクト）
１０、２１０    シェル
４６、２４６    ばね片
５２、１４０、２５２、３４０  ロック部
５４、５６、２５４、２５６    圧接突起
１００、３００    プラグコネクタ（他方のコネクタ）
１０４、３０４    コンタクト（他方のコンタクト）
１０６、３０６    ロック片
Ｃ、Ｃ’    電気コネクタ組立体
【図１】
2005011791.tif 000003
【図２】
2005011791.tif 000004
【図３】
2005011791.tif 000005
【図４】
2005011791.tif 000006
【図５】
2005011791.tif 000007
【図６】
2005011791.tif 000008
【図７】
2005011791.tif 000009
【図８】
2005011791.tif 000010
【図９】
2005011791.tif 000011
【図１０】
2005011791.tif 000012
【図１１】
2005011791.tif 000013
【図１２】
2005011791.tif 000014
【図１３】
2005011791.tif 000015
【図１４】
2005011791.tif 000016
【図１５】
2005011791.tif 000017